(57)【要約】【課題】直感的な操作で所望の実行パラメータの選択が可能な画像形成指示プログラムを提供する。【解決手段】画像形成指示プログラムは、複合機５０によって実行される画像形成処理の実行条件を示す複数の実行パラメータと、筐体の複数の姿勢との対応関係を示すガイド画像を表示部に表示させる表示ステップ（Ｓ１７）と、ガイド画像に含まれる筐体の姿勢が検知部によって検知されたことを条件として（Ｓ１８：Ｙｅｓ）、当該姿勢に対応づけられた実行パラメータを選択する選択ステップ（Ｓ１９）と、選択ステップ（Ｓ１９）で選択された実行パラメータを含むパラメータ指示情報を複合機５０に対して通信部に送信させる送信ステップ（Ｓ２１）とを携帯端末１０に実行させる。【選択図】図２
2015049767.tif 000002
【特許請求の範囲】
【請求項１】
筐体と、前記筐体の表面に設けられた表示部と、ＮＦＣ規格に準拠した手順で画像形成装置と通信する通信部と、前記筐体の姿勢を検知する検知部とを備える携帯端末によって実行される画像形成指示プログラムであって、
前記画像形成装置によって実行される画像形成処理の実行条件を示す複数の実行パラメータと、前記筐体の複数の姿勢との対応関係を示すガイド画像を前記表示部に表示させる表示ステップと、
前記ガイド画像に含まれる前記筐体の姿勢が前記検知部によって検知されたことを条件として、当該姿勢に対応づけられた前記実行パラメータを選択する選択ステップと、
前記選択ステップで選択された前記実行パラメータを含むパラメータ指示情報を、前記画像形成装置に対して前記通信部に送信させる送信ステップと、を前記携帯端末に実行させる画像形成指示プログラム。
【請求項２】
該画像形成指示プログラムは、
画像形成処理において前記画像形成装置が実行可能な複数の前記実行パラメータを含むパラメータ通知情報を前記通信部に受信させる受信ステップを、さらに前記携帯端末に実行させ、
前記表示ステップにおいて、前記パラメータ通知情報に含まれる複数の前記実行パラメータと、前記筐体の複数の姿勢との対応関係を示す前記ガイド画像を前記表示部に表示させる請求項１に記載の画像形成指示プログラム。
【請求項３】
前記筐体の複数の姿勢それぞれには、画像形成処理において同時に実行可能な複数の前記実行パラメータを含む実行パラメータセットが対応づけられており、
該画像形成指示プログラムは、
前記選択ステップにおいて、前記検知部によって検知された前記筐体の姿勢に対応づけられた前記実行パラメータセットに含まれる複数の前記実行パラメータを選択し、
前記送信ステップにおいて、前記選択ステップで選択された複数の前記実行パラメータを含む前記パラメータ指示情報を、前記画像形成装置に対して前記通信部に送信させる請求項１又は２に記載の画像形成指示プログラム。
【請求項４】
前記携帯端末は、さらに記憶部を備えており、
該画像形成指示プログラムは、前記実行パラメータセットに含める複数の前記実行パラメータを選択させ、且つ選択された複数の前記実行パラメータを前記実行パラメータセットに関連づけて前記記憶部に記憶させる登録ステップを、さらに前記携帯端末に実行させる請求項３に記載の画像形成指示プログラム。
【請求項５】
該画像形成指示プログラムは、
画像形成処理において前記画像形成装置が実行可能な複数の前記実行パラメータを含むパラメータ特定情報を前記通信部に受信させる受信ステップを、さらに前記携帯端末に実行させ、
前記登録ステップにおいて、前記パラメータ特定情報に含まれる複数の前記実行パラメータのうちから選択された前記実行パラメータを、前記実行パラメータセットに関連づけて前記記憶部に記憶させる請求項４に記載の画像形成指示プログラム。
【請求項６】
該画像形成指示プログラムは、前記選択ステップにおいて、予め定められた時間間隔で前記画像形成装置から送信されるポーリング信号を前記通信部が受信し続けている状態で、前記ガイド画像に含まれる前記筐体の姿勢が前記検知部によって検知されたことを条件として、当該姿勢に対応づけられた前記実行パラメータを選択する請求項１から５のいずれかに記載の画像形成指示プログラム。
【請求項７】
該画像形成指示プログラムは、
前記パラメータ指示情報に含まれる前記実行パラメータに従って実行した画像形成処理の成否を示す成否通知情報を前記通信部に受信させる受信ステップと、
前記受信ステップで受信された前記成否通知情報によって示される画像形成処理の成否を報知する報知ステップと、をさらに前記携帯端末に実行させる請求項１から６のいずれかに記載の画像形成指示プログラム。
【請求項８】
前記検知部は、前記表示部の表示面を含む仮想平面上における前記筐体の傾きを検知するものであり、
該画像形成指示プログラムは、
前記表示ステップにおいて、第１実行パラメータ及び第２実行パラメータを含む前記ガイド画像を前記表示部に表示させ、
前記選択ステップにおいて、
前記筐体の反時計回りの傾きが閾値角度を超えたことを条件として、前記第１実行パラメータを選択し、
前記筐体の時計回りの傾きが閾値角度を超えたことを条件として、前記第２実行パラメータを選択する請求項１から７のいずれかに記載の画像形成指示プログラム。
【請求項９】
前記検知部は、前記表示部の表示面を含む仮想平面上における前記筐体の傾きを検知するものであり、
該画像形成指示プログラムは、
前記表示ステップにおいて、第１実行パラメータ、第２実行パラメータ、及び第３実行パラメータを含む前記ガイド画像を前記表示部に表示させ、
前記選択ステップにおいて、
第１閾値角度以上で且つ前記第１閾値角度より大きい第２閾値角度未満の角度に前記筐体が傾けられたことを条件として、前記第１実行パラメータを選択し、
前記第２閾値角度以上で且つ前記第２閾値角度より大きい第３閾値角度未満の角度に前記筐体が傾けられたことを条件として、前記第２実行パラメータを選択し、
前記第３閾値角度以上で且つ前記第３閾値角度より大きい第４閾値角度未満の角度に前記筐体が傾けられたことを条件として、前記第３実行パラメータを選択する請求項１から８のいずれかに記載の画像形成指示プログラム。
【請求項１０】
該画像形成指示プログラムは、前記表示ステップ及び前記選択ステップが前記送信ステップに先立って交互に複数回実行されたことを条件として、前記送信ステップにおいて、複数の前記選択ステップで選択された複数の前記実行パラメータを含む前記パラメータ指示情報を、前記画像形成装置に対して前記通信部に送信させる請求項１又は２に記載の画像形成指示プログラム。
【請求項１１】
筐体と、
前記筐体の表面に設けられた表示部と、
ＮＦＣ規格に準拠した手順で画像形成装置と通信する通信部と、
前記筐体の姿勢を検知する検知部と、
制御部と、を備えており、
前記制御部は、
前記画像形成装置によって実行される画像形成処理の実行条件を示す複数の実行パラメータと、前記筐体の複数の姿勢との対応関係を示すガイド画像を前記表示部に表示させる表示手段と、
前記ガイド画像に含まれる前記筐体の姿勢が前記検知部によって検知されたことを条件として、当該姿勢に対応づけられた前記実行パラメータを選択する選択手段と、
前記選択手段によって選択された前記実行パラメータを含むパラメータ指示情報を、前記画像形成装置に対して前記通信部に送信させる送信手段と、を備える携帯端末。
【発明の詳細な説明】
【技術分野】
【０００１】
本発明は、画像形成処理の実行パラメータをユーザに選択させ、選択された実行パラメータで画像形成装置に画像形成処理を実行させる画像形成指示プログラムに関する。
【背景技術】
【０００２】
従来より、ユーザによって選択された実行パラメータに従って画像形成処理を実行する画像形成装置が知られている。例えば、特許文献１には、選択可能な実行パラメータを示すアイコンを表示する液晶ディスプレイと、タッチ位置に表示されたアイコンによって示される実行パラメータが選択されたことを検知するタッチパネルとを備える複合機が開示されている。
【先行技術文献】
【特許文献】
【０００３】
【特許文献１】特開２０１３−０９２８３１号公報
【発明の概要】
【発明が解決しようとする課題】
【０００４】
近年の複合機の高機能化に伴って、選択可能な実行パラメータの種類も増加している。一方、複合機に搭載可能な液晶ディスプレイのサイズには限界がある。そのため、所望の実行パラメータを選択するために階層化された選択画面を１つずつ辿る操作や、小さく表示された多数のアイコンの中から所望のアイコンを正確にタッチする操作をユーザに要求しなければならず、更なる操作性の向上が求められている。
【０００５】
本発明は、上記の事情に鑑みてなされたものであり、その目的は、直感的な操作で所望の実行パラメータの選択が可能な画像形成指示プログラムを提供することにある。
【課題を解決するための手段】
【０００６】
本明細書に記載された画像形成指示プログラムは、筐体と、前記筐体の表面に設けられた表示部と、ＮＦＣ規格に準拠した手順で画像形成装置と通信する通信部と、前記筐体の姿勢を検知する検知部とを備える携帯端末によって実行されるプログラムである。当該画像形成指示プログラムは、前記画像形成装置によって実行される画像形成処理の実行条件を示す複数の実行パラメータと、前記筐体の複数の姿勢との対応関係を示すガイド画像を前記表示部に表示させる表示ステップと、前記ガイド画像に含まれる前記筐体の姿勢が前記検知部によって検知されたことを条件として、当該姿勢に対応づけられた前記実行パラメータを選択する選択ステップと、前記選択ステップで選択された前記実行パラメータを含むパラメータ指示情報を、前記画像形成装置に対して前記通信部に送信させる送信ステップとを前記携帯端末に実行させる。
【０００７】
上記構成によれば、表示部に表示されたガイド画像に従って筐体の姿勢を変化させることにより、直感的な操作で所望の実行パラメータをユーザに選択させることができる。なお、本明細書中の「実行パラメータ」には、画像形成処理の実行条件を示すあらゆるパラメータが含まれるが、例えば、画像形成処理に用いられる記録媒体のサイズ（例えば、「Ａ４」、「Ｂ５」、「Ｐｈｏｔｏ＿Ｌ」等）を特定する実行パラメータ、画像形成処理に用いられる色（例えば、「モノクロ」、「カラー」等）を特定する実行パラメータ、画像形成処理を行う記録媒体の面（例えば、「片面」、「両面」等）を特定する実行パラメータ等が含まれる。
【発明の効果】
【０００８】
本明細書に記載の画像形成指示プログラムによれば、筐体の姿勢を変化させだけで所望の実行パラメータを選択することができるので、実行パラメータ選択処理の操作性が向上する。
【図面の簡単な説明】
【０００９】
【図１】図１は、実施形態１における画像形成システム１００の概略図である。
【図２】図２は、実施形態１における画像形成処理のシーケンス図である。
【図３】図３は、携帯端末１０の表示部１３に表示される画面の例であって、（Ａ）はメニュー画面を、（Ｂ）は近接指示画面を示している。
【図４】図４は、片面／両面選択画面を表示する携帯端末１０を示す図であって、（Ａ）は携帯端末１０が傾いていない状態を、（Ｂ）は携帯端末１０が反時計回りに傾けられた状態を示している。
【図５】図５は、用紙サイズ選択画面を表示する携帯端末１０を示す図であって、（Ａ）は携帯端末１０が傾いていない状態を、（Ｂ）は携帯端末１０が時計回りに傾けられた状態を示している。
【図６】図６は、変形例における画像形成処理のシーケンス図である。
【図７】図７は、実施形態２におけるお気に入り登録処理のシーケンス図である。
【図８】図８は、実施形態２における画像形成処理のシーケンス図である。
【図９】図９は、携帯端末１０の表示部１３に表示される画面の例であって、（Ａ）はお気に入り登録画面を、（Ｂ）はお気に入り選択画面を示している。
【図１０】図１０は、データ記憶領域１８Ｂに記憶されている実行パラメータセットの一例を示す図である。
【発明を実施するための形態】
【００１０】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００１１】
［実施形態１］
図１は、実施形態１における画像形成システム１００の概略図である。図１に示される画像形成システム１００は、携帯端末１０と、複合機５０とで構成されている。携帯端末１０及び複合機５０は、ＮＦＣ（Ｎｅａｒ  Ｆｉｅｌｄ  Ｃｏｍｍｕｎｉｃａｔｉｏｎの略）規格に準拠した手順で通信可能に構成されている。本実施例におけるＮＦＣ規格は、ＩＳＯ／ＩＥＣ２１４８１又はＩＳＯ／ＩＥＣ１８０９２の国際標準規格である。ＮＦＣ方式の通信は、１３．５６ＭＨｚ帯の電波を利用した無線通信である。また、携帯端末１０及び複合機５０は、ＮＦＣ方式と異なる通信ネットワークを利用して、さらに有線通信又は無線通信を実行可能であってもよい。
【００１２】
［携帯端末１０］
携帯端末１０は、図１に示されるように、表示部１３と、操作部１４と、通信部１５と、検知部１６と、ＣＰＵ１７と、記憶部１８とを主に備える。携帯端末１０を構成する各構成要素は、通信バス１９を介して相互に接続されている。また、携帯端末１０は、図３に示される筐体１１を備えている。図１に示される携帯端末１０の各構成要素は、筐体１１の表面或いは内部に配置されている。携帯端末１０は、ユーザが片手或いは両手で持ち運べる程度の大きさであって、典型的には、携帯電話或いはタブレット端末である。
【００１３】
［筐体１１］
筐体１１は、上下方向及び左右方向の寸法と比較して前後方向の寸法が短い扁平な箱形状である。より具体的には、図３（Ａ）に示されるように筐体１１を前面側から平面視すると、筐体１１は、左右方向に略平行に延びる上辺１１Ａ及び下辺１１Ｂと、上下方向に略平行に延びる左辺１１Ｃ及び右辺１１Ｄとで構成される縦長の長方形である。また、筐体１１の前面には、表示部１３が設けられている。
【００１４】
［表示部１３］
表示部１３は、各種情報を表示する表示画面を備える。表示部１３の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００１５】
［操作部１４］
操作部１４は、表示部１３の表示画面に表示されたオブジェクトを選択するユーザの操作を検知する。具体的には、操作部１４は、例えば押ボタンを有しており、押下された押ボタンに対応づけられた各種の操作信号をＣＰＵ１７へ出力する。さらに、操作部１４は、表示部１３の表示画面に重畳された膜状のタッチセンサを有していてもよい。すなわち、表示部１３がタッチパネルディスプレイとして構成されてもよい。タッチセンサには、静電容量方式、抵抗膜方式等の周知の方式を採用することができる。
【００１６】
なお、「オブジェクト」とは、ユーザが操作部１４を操作することによって選択可能な画像を指す。一例として、オブジェクトは表示部１３に表示された文字列であって、操作部１４の方向キーを押下することによってオブジェクトの１つがハイライト表示され、操作部１４の決定ボタンを押下することによってハイライト表示されたオブジェクトが選択されてもよい。他の例として、操作部１４がタッチパネルである場合のオブジェクトは表示部１３に表示されたアイコン、ボタン、リンク等であって、タッチ位置に表示されたオブジェクトが選択されてもよい。
【００１７】
［通信部１５］
通信部１５は、ＮＦＣ規格に準拠した手順で外部装置と通信を行うためのインタフェースである。通信部１５には、外部装置との間で情報等を受け渡すための記憶部を有するＩＣチップが搭載されている。例えば、携帯端末１０は、各種情報或いは各種指示（以下、これらを総称して「情報等」と表記する。）を複合機５０に対して通信部１５に送信させ、複合機５０から送信されたポーリング信号及び各種情報を通信部１５に受信させる。
【００１８】
［検知部１６］
検知部１６は、筐体１１の姿勢を検知し、検知した姿勢を示す検知信号をＣＰＵ１７へ出力する。より具体的には、検知部１６は、図３に示されるように上辺１１Ａを鉛直上向きに向けた状態を基準として、表示部１３の表示面を含む仮想平面上における筐体１１の傾きを検知する。検知信号の具体例は特に限定されないが、例えば、上辺１１Ａが鉛直上向きを向いた筐体１１の姿勢を０°とし、筐体１１の反時計回りの回転角を０°〜３６０°で表すものであってもよい。検知部１６の具体例は特に限定されないが、例えば、ジャイロセンサであってもよい。
【００１９】
［ＣＰＵ１７］
ＣＰＵ（Ｃｅｎｔｒａｌ  Ｐｒｏｃｅｓｓｉｎｇ  Ｕｎｉｔの略）１７は、携帯端末１０の全体動作を制御するものである。ＣＰＵ１７は、操作部１４から出力される操作信号、通信部１５が複合機５０から取得した各種情報、及び検知部１６から出力される検知信号等に基づいて、後述する各種プログラムを記憶部１８から取得して実行する。すなわち、ＣＰＵ１７及び記憶部１８は、制御部の一例を構成する。
【００２０】
［記憶部１８］
記憶部１８は、プログラム記憶領域１８Ａと、データ記憶領域１８Ｂとを有する。プログラム記憶領域１８Ａには、ＯＳ（Ｏｐｅｒａｔｉｎｇ  Ｓｙｓｔｅｍの略）２０と、画像形成指示プログラム２１とが格納される。なお、画像形成指示プログラム２１は、単一のプログラムであってもよいし、複数のプログラムの集合体であってもよい。データ記憶領域１８Ｂには、画像形成指示プログラム２１の実行に必要なデータ或いは情報が記憶される。
【００２１】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００２２】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であるあることを示す情報が、あるコンピュータではＡＳＣＩＩコードで”０ｘ３２”というテキスト形式の情報として保持され、別のコンピュータでは二進数表記で”１０”というバイナリ形式の情報として保持されてもよい。
【００２３】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００２４】
記憶部１８は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ１７が備えるバッファ等、或いはそれらの組み合わせによって構成される。なお、記憶部１８は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。一方、インターネット上のサーバなどからダウンロードされるプログラムを搬送する電気信号は、ｎｏｎ−ｔｒａｎｓｉｔｏｒｙな媒体には含まれない。
【００２５】
プログラム記憶領域１８Ａに記憶されているプログラムは、ＣＰＵ１７によって実行される。しかしながら、本明細書では、ＣＰＵ１７を省略して各プログラムの動作を説明することがある。すなわち、以下の説明において、「プログラムＡが処理Ａを実行する」という趣旨の記述は、「ＣＰＵ１７がプログラムＡに記述された処理Ａを実行する」ことを指してもよい。後述の複合機５０についても同様である。
【００２６】
ＯＳ２０は、携帯端末１０を構成するハードウェアである表示部１３、操作部１４、通信部１５、及び検知部１６等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上述した各プログラムは、ＯＳ２０が提供するＡＰＩを呼び出すことによって、各ハードウェアを制御する。しかしながら、本明細書では、ＯＳ２０を省略して各プログラムの動作を説明する。すなわち、以下の説明において、「プログラムＢがハードウェアＣを制御する」という趣旨の記述は、「プログラムＢがＯＳ２０のＡＰＩを通じてハードウェアＣを制御する」ことを指してもよい。後述する複合機５０についても同様である。
【００２７】
［複合機５０］
複合機５０は、図１に示されるように、プリンタ部５１と、スキャナ部５２と、表示部５３と、操作部５４と、通信部５５と、ＣＰＵ５７と、記憶部５８と、通信バス５９とを主に備える。複合機５０は、画像形成装置の一例である。複合機５０に含まれる表示部５３、操作部５４、通信部５５、ＣＰＵ５７、記憶部５８、及び通信バス５９は、携帯端末１０に含まれる表示部１３、操作部１４、通信部１５、ＣＰＵ１７、記憶部１８、及び通信バス１９と共通するので、再度の説明は省略する。但し、記憶部５８のプログラム記憶領域５８Ａには、ＯＳ６０と、画像形成プログラム６１とが格納されている。
【００２８】
プリンタ部５１は、インクジェット方式や電子写真方式などの公知の方式によって、画像データによって示される画像を記録媒体に記録するプリント処理を実行する。スキャナ部５２は、原稿に記録されている画像を読み取って画像データを生成するスキャン処理を実行する。また、複合機５０は、スキャナ部５２で生成された画像データによって示される画像をプリンタ部５１で記録媒体に記録するコピー処理、或いはＦＡＸの送受信を行うＦＡＸ処理等をさらに実行してもよい。プリント処理、スキャン処理、コピー処理、及びＦＡＸ処理は、画像形成処理の一例である。
【００２９】
［携帯端末１０と複合機５０との通信］
本明細書では、ＮＦＣ規格に準拠した手順で通信可能な機器を「ＮＦＣ機器」と表記する。すなわち、携帯端末１０及び複合機５０は、ＮＦＣ機器の一例である。ＮＦＣ機器は、Ｐ２Ｐモード、Ｒｅａｄｅｒモード、Ｗｒｉｔｅｒモード、及びＣＥモードのいずれかで動作する。また、本明細書では、Ｒｅａｄｅｒモード及びＷｒｉｔｅｒモードを合わせて、「Ｒ／Ｗモード」と記載することがある。
【００３０】
Ｐ２Ｐモードは、一対のＮＦＣ機器の間で双方向通信を実行するためのモードである。ＮＦＣフォーラムによって定められるＩＳＯ／ＩＥＣ  １４４３に規定されるＴｙｐｅＡのＮＦＣ機器、及びＩＳＯ／ＩＥＣ  １８０９２に規定されるＴｙｐｅＦのＮＦＣ機器は、Ｐ２Ｐモードで動作することができる。一方、ＩＳＯ／ＩＥＣ  １４４３に規定されるＴｙｐｅＢのＮＦＣ機器は、Ｐ２Ｐモードで動作することができない。
【００３１】
Ｒ／Ｗモード及びＣＥモードは、一対のＮＦＣ機器の間で単方向通信を実行するためのモードである。ＣＥモードは、ＮＦＣ機器がＮＦＣフォーラムによって定められた形式である「カード」として動作するためのモードである。ＴｙｐｅＡ、ＴｙｐｅＦ、及びＴｙｐｅＢのＮＦＣ機器は、ＣＥモードで動作することができる。Ｒｅａｄｅｒモードは、ＣＥモードで動作するＮＦＣ機器から情報等を読み出すためのモードである。Ｗｒｉｔｅｒモードは、ＣＥモードで動作するＮＦＣ機器に各種情報を書き込むためのモードである。
【００３２】
実施形態１では、携帯端末１０がＣＥモードで動作し、複合機５０がＲ／Ｗモードで動作する例を中心に説明する。すなわち、Ｒ／Ｗモードで動作する複合機５０は、ＣＥモードで動作する携帯端末１０から情報等を読み出し、且つ携帯端末１０に情報等を書き込むことができる。しかしながら、本発明はこれに限定されず、例えば、携帯端末１０がＲ／Ｗモードで動作し、複合機５０がＣＥモードで動作してもよいし、携帯端末１０及び複合機５０の両方がＰ２Ｐモードで動作してもよい。
【００３３】
実施形態１における複合機５０の通信部５５は、Ｐｏｌｌ動作を実行する。Ｐｏｌｌ動作とは、所定の時間間隔毎にポーリング信号を送信し、当該ポーリング信号に対する応答であるレスポンス信号を監視する動作である。そして、レスポンス信号を受信した通信部５５は、以降の処理をＣＰＵ５７に引き継ぐ。一方、実施形態１における携帯端末１０の通信部１５は、Ｌｉｓｔｅｎ動作を実行する。Ｌｉｓｔｅｎ動作とは、複合機５０から送信されるポーリング信号を監視し、ポーリング信号を受信したことを条件としてレスポンス信号を送信する動作である。そして、レスポンス信号を送信した通信部１５は、以降の処理をＣＰＵ１７に引き継ぐ。
【００３４】
次に、複合機５０のＣＰＵ５７は、携帯端末１０がどのモードで動作可能かを示す情報を通信部５５に取得させる。そして、ＣＰＵ５７は、携帯端末１０から取得した情報に基づいて携帯端末１０及び複合機５０をどのモードで動作させるか決定し、携帯端末１０の動作モードを示すＡｃｔｉｖａｔｉｏｎコマンドを携帯端末１０に対して通信部５５に送信させる。一方、携帯端末１０のＣＰＵ１７は、複合機５０から送信されたＡｃｔｉｖａｔｉｏｎコマンドが通信部１５によって受信されたことを条件として、当該Ａｃｔｉｖａｔｉｏｎコマンドに対する応答であるＯＫコマンドを複合機５０に対して通信部１５に送信させる。これにより、携帯端末１０と複合機５０との間にＮＦＣ方式の通信リンクが確立される。以降、携帯端末１０と複合機５０とは、この通信リンクを通じて情報等を送受信する。
【００３５】
次に、複合機５０のＣＰＵ５７は、携帯端末１０との通信を終了させる際に、通信リンクを切断するためのＤｅａｃｔｉｖａｔｉｏｎコマンドを携帯端末１０に対して通信部５５に送信させる。一方、携帯端末１０のＣＰＵ１７は、複合機５０から送信されたＤｅａｃｔｉｖａｔｉｏｎコマンドが通信部１５によって受信されたことを条件として、当該Ｄｅａｃｔｉｖａｔｉｏｎコマンドに対する応答であるＯＫコマンドを複合機５０に対して通信部１５に送信させる。これにより、携帯端末１０と複合機５０との間の通信リンクが切断される。
【００３６】
［画像形成処理］
図２〜図５を参照して、実施形態１における画像形成処理を説明する。図２に示される画像形成処理は、携帯端末１０が実行パラメータをユーザから取得して複合機５０に送信し、複合機５０が当該実行パラメータに従ってプリント処理を実行するものである。実行パラメータは、複合機５０によって実行されるプリント処理の実行条件を示すものであって、携帯端末１０ではデータとして扱われる。プリント処理の対象となる画像データは、携帯端末１０に記憶されていてもよいし、複合機５０に記憶されていてもよいし、通信ネットワークを通じて携帯端末１０或いは複合機５０に接続された外部装置に記憶されていてもよい。画像データを選択する処理は公知なので、詳細な説明は省略する。また、プリント処理に代えて、スキャン処理、コピー処理、ＦＡＸ処理等が実行されてもよい。
【００３７】
まず、複合機５０の通信部５５は、所定の時間間隔毎にポーリング信号を繰り返し送信する（Ｓ１０）。所定の時間間隔とは、例えば、４００ｍｓｅｃ程度である。一方、携帯端末１０のＣＰＵ１７は、画像形成指示プログラム２１を起動する操作が操作部１４によって検知されたことを条件として、図３（Ａ）に示されるメニュー画面を表示部１３に表示させる（Ｓ１１）。図３（Ａ）に示されるメニュー画面には、「プリント」、「スキャン」、及び「お気に入り設定」の３つのボタンが表示されているが、本発明はこれに限定されない。
【００３８】
次に、画像形成指示プログラム２１は、「プリント」ボタンを押下する操作が操作部１４によって検知されたことを条件として（Ｓ１２）、図３（Ｂ）に示される近接指示画面を表示部１３に表示させる（Ｓ１３）。近接指示画面は、複合機５０から送信されるポーリング信号を受信可能な位置への携帯端末１０の移動を促すための画面である。ポーリング信号を受信可能な位置とは、例えば、複合機５０を中心とする半径１０ｃｍ程度の球の内部である。また、「プリント」ボタンが押下されたタイミングで、プリント処理の対象となる画像データをユーザに選択させてもよい。但し、画像データを選択させるタイミングはこれに限定されない。
【００３９】
次に、画像形成指示プログラム２１は、上述したＮＦＣ規格に準拠した手順で、複合機５０との間に通信リンクを確立する（Ｓ１４）。ステップＳ１４において、通信部１５は、複合機５０からポーリング信号を受信したことを条件として、レスポンス信号を複合機５０に送信する。次に、画像形成指示プログラム２１は、複合機５０から送信されたＡｃｔｉｖａｔｉｏｎコマンドが通信部１５によって受信されたことを条件として、ＯＫコマンドを送信する。さらに、画像形成指示プログラム２１は、受信したＡｃｔｉｖａｔｉｏｎコマンドによって示されるモードで通信部１５を動作させる。これにより、携帯端末１０と複合機５０との間にＮＦＣ方式の通信リンクが確立される（Ｓ１４：Ｙｅｓ）。
【００４０】
次に、画像形成指示プログラム２１は、複合機５０との間に通信リンクが確立されたことを条件として（Ｓ１４：Ｙｅｓ）、パラメータ特定情報送信指示を複合機５０に対して通信部１５に送信させる（Ｓ１５）。パラメータ特定情報送信指示とは、プリント処理において複合機５０が実行可能な複数の実行パラメータを含むパラメータ特定情報を複合機５０に送信させるための指示である。
【００４１】
次に、画像形成指示プログラム２１は、複合機５０から送信されたパラメータ特定情報を通信部１５に受信させる（Ｓ１６）。実施形態１におけるパラメータ特定情報には、例えば、プリント処理を行う記録媒体の面（例えば、「片面」、「両面」等）を特定する実行パラメータ、及び画像形成処理に用いられる記録媒体のサイズ（例えば、「Ａ４」、「Ｂ５」、「Ｐｈｏｔｏ＿Ｌ」等）を特定する実行パラメータが含まれる。すなわち、上記のパラメータ特定情報は、複合機５０が、記録媒体の片面のみ或いは両面にプリント処理を実行可能であり、且つＡ４サイズ、Ｂ５サイズ、及びＰｈｏｔｏ＿Ｌサイズの記録媒体に対してプリント処理を実行可能であることを示している。ステップＳ１６においてパラメータ特定情報を受信する携帯端末１０のＣＰＵ１７は、受信手段の一例である。
【００４２】
なお、ステップＳ１５のように、ＣＥモードで動作する携帯端末１０がＷ／Ｒモードで動作する複合機５０に情報等を送信するとは、例えば、携帯端末１０のＣＰＵ１７が通信部１５のＩＣチップに情報等を書き込み、通信部１５のＩＣチップに書き込まれた情報等を複合機５０の通信部５５が読み出すことを指してもよい。また、ステップＳ１６のように、ＣＥモードで動作する携帯端末１０がＷ／Ｒモードで動作する複合機５０から情報等を受信するとは、例えば、複合機５０の通信部５５が携帯端末１０の通信部１５のＩＣチップに情報等を書き込むことを指してもよい。さらに、ステップＳ１５、Ｓ１６における情報等の送受信は、ステップＳ１４で確立した通信リンクを通じて行われてもよいし、ステップ毎に通信リンクの確立及び切断を実行してもよい。すなわち、携帯端末１０及び複合機５０は、通信リンクが確立されてから切断されるまでの間に、当該通信リンクを通じて１以上の情報等を送受信することができる。後述する処理についても同様である。
【００４３】
次に、画像形成指示プログラム２１は、実行パラメータ選択画面を表示部１３に表示させる（Ｓ１７）。実行パラメータ選択画面は、パラメータ特定情報に含まれる実行パラメータのうちからプリント処理に用いられる実行パラメータをユーザに選択させるための画面である。なお、１つの実行パラメータ選択画面には、同時に選択されることのない複数の実行パラメータ、換言すれば、排他的な関係にある複数の実行パラメータが表示される。実行パラメータ選択画面は、パラメータ特定情報に含まれる複数の実行パラメータと、筐体１１の複数の姿勢との対応関係を示すガイド画像の一例である。すなわち、ステップＳ１７において実行パラメータ選択画面を表示部１３に表示させる携帯端末１０のＣＰＵ１７は、表示手段の一例である。
【００４４】
図４（Ａ）に示される片面／両面選択画面は、実行パラメータ選択画面の一例である。図４（Ａ）に示される片面／両面選択画面には、記録媒体の片面にのみプリント処理を行うことを示す実行パラメータ（図４（Ａ）において「片面」と表記する。）と、記録媒体の両面にプリント処理を行うことを示す実行パラメータ（図４（Ａ）において「両面」と表記する。）とが含まれている。また、図４（Ａ）の例では、「片面」パラメータに反時計回りに傾けられた筐体１１の姿勢が対応づけられており、「両面」パラメータに時計回りに傾けられた筐体１１の姿勢が対応づけられている。
【００４５】
次に、画像形成指示プログラム２１は、筐体１１の姿勢変化が検知部１６によって検知されるまで待機する（Ｓ１８）。そして、画像形成指示プログラム２１は、筐体１１の姿勢変化が検知部１６によって検知されたことを条件として（Ｓ１８：Ｙｅｓ）、検知部１６から出力された検知信号によって示される筐体１１の姿勢に対応づけられた実行パラメータを選択し、選択した実行パラメータをデータ記憶領域１８Ｂに記憶させる（Ｓ１９）。ステップＳ１９において筐体１１の姿勢に対応づけられた実行パラメータを選択する携帯端末１０のＣＰＵ１７は、選択手段の一例である。
【００４６】
実施形態１における画像形成指示プログラム２１は、例えば図４（Ｂ）に示されるように、筐体１１の反時計回りの傾きが閾値角度を超えたことを条件として、「片面」パラメータを選択する。一方、画像形成指示プログラム２１は、筐体１１の時計回りの傾きが閾値角度を超えたことを条件として、「両面」パラメータを選択する。すなわち、ステップＳ１９では、実行パラメータ選択画面に表示された複数の実行パラメータのうちの１つが選択される。なお、閾値角度が小さすぎると、ユーザに把持された携帯端末１０の揺れ等によって、意図しない実行パラメータが選択される可能性がある。そこで、閾値角度は、意図しない実行パラメータの選択が防止される程度に大きい値であることが望ましく、例えば１０°程度とすればよい。
【００４７】
また、意図しない実行パラメータの選択をさらに有効に防止するために、画像形成指示プログラム２１は、筐体１１の姿勢変化を検知したことを条件として、当該姿勢に対応する実行パラメータが他の実行パラメータと区別できるように実行パラメータ選択画面の表示態様を変更してもよい。図４（Ｂ）の例では、「片面」パラメータがハイライト表示されている。そして、画像形成指示プログラム２１は、図４（Ｂ）の状態が閾値時間を経過するまで維持されたことを条件として、ハイライト表示された実行パラメータを選択してもよい。図５及び図９においても同様である。
【００４８】
次に、画像形成指示プログラム２１は、全ての実行パラメータの選択が行われたか否かを判断する（Ｓ２０）。そして、画像形成指示プログラム２１は、パラメータ特定情報に含まれる全ての実行パラメータの選択が行われるまで（Ｓ２０：Ｙｅｓ）、ステップＳ１７〜Ｓ２０の処理を繰り返し実行する。
【００４９】
図５（Ａ）に示される用紙サイズ選択画面は、実行パラメータ選択画面の他の例である。図５（Ａ）に示される用紙サイズ選択画面には、Ａ４サイズの記録媒体に対してプリント処理を行うことを示す実行パラメータ（図５（Ａ）において「Ａ４」と表記する。）と、Ｐｈｏｔｏ＿Ｌサイズの記録媒体に対してプリント処理を行うことを示す実行パラメータ（図５（Ａ）において「Ｐｈｏｔｏ＿Ｌ」と表記する。）と、Ｂ５サイズの記録媒体に対してプリント処理を行うことを示す実行パラメータ（図５（Ａ）において「Ｂ５」と表記する。）とが含まれている。また、図５（Ａ）の例では、「Ａ４」パラメータに反時計回りに０°以上で且つ１２０°未満の角度に傾けられた筐体１１の姿勢が対応づけられており、「Ｐｈｏｔｏ＿Ｌ」パラメータに反時計回りに１２０°以上で且つ２４０°未満の角度に傾けられた筐体１１の姿勢が対応づけられており、「Ｂ５」パラメータに反時計回りに２４０°以上で且つ３６０°未満の角度に傾けられた筐体１１の姿勢が対応づけられている。
【００５０】
図５（Ａ）の例において、０°は第１閾値角度の一例であり、１２０°は第２閾値角度の一例であり、２４０°は第３閾値角度の一例であり、３６０°は第４閾値角度の一例である。なお、上述の第１〜第４閾値角度は筐体１１の最終的な傾きの範囲を示すものであって、傾ける向きまでを限定するものではない。例えば、図５（Ａ）に示される用紙サイズ選択画面では、「Ｂ５」パラメータに時計回りに０°以上で且つ１２０°未満の角度に傾けられた筐体１１の姿勢が対応づけられており、「Ｐｈｏｔｏ＿Ｌ」パラメータに時計回りに１２０°以上で且つ２４０°未満の角度に傾けられた筐体１１の姿勢が対応づけられており、「Ａ４」パラメータに時計回りに２４０°以上で且つ３６０°未満の角度に傾けられた筐体１１の姿勢が対応づけられていると、言い換えることができる。
【００５１】
すなわち、ユーザは、図５（Ａ）に示される各実行パラメータを、筐体１１を反時計回りに傾けることによって選択してもよいし、筐体１１を時計回りに傾けることによって選択してもよい。そして、画像形成指示プログラム２１は、ステップＳ１９において、筐体１１が傾けられた状態で閾値時間を経過したことを条件として、当該姿勢に対応づけられた実行パラメータを選択し、選択した実行パラメータをデータ記憶領域１８Ｂに記憶させる。図５（Ｂ）には、「Ｂ５」パラメータが選択された状態が示されている。
【００５２】
次に、画像形成指示プログラム２１は、パラメータ特定情報に含まれる全ての実行パラメータの選択が行われたことを条件として（Ｓ２０：Ｙｅｓ）、パラメータ指示情報を複合機５０に対して通信部１５に送信させる（Ｓ２１）。パラメータ指示情報には、ステップＳ１９において選択された実行パラメータと、当該実行パラメータに従って複合機５０にプリント処理を実行させる画像形成指示とが含まれる。実施形態１におけるパラメータ指示情報には、「片面」パラメータ及び「Ｂ５」パラメータが実行パラメータとして含まれる。ステップＳ２０においてパラメータ指示情報を送信する携帯端末１０のＣＰＵ１７は、送信手段の一例である。
【００５３】
次に、複合機５０の画像形成プログラム６１は、携帯端末１０から送信されたパラメータ指示情報が通信部５５によって受信されたことを条件として（Ｓ２１）、当該パラメータ指示情報に含まれる実行パラメータに従って、プリンタ部５１にプリント処理を実行させる（Ｓ２２）。そして、画像形成プログラム６１は、成否通知情報を携帯端末１０に対して通信部５５に送信させる（Ｓ２３）。成否通知情報は、ステップＳ２２におけるプリント処理の成否を示す情報であって、実施形態１ではプリント処理が正常に終了したものとする。
【００５４】
次に、携帯端末１０の画像形成指示プログラム２１は、成否通知情報が通信部１５によって受信されたことを条件として（Ｓ２３）、プリント処理が正常終了したことを示す報知画面を表示部１３に表示させる（Ｓ２４）。報知画面は、成否通知情報によって示されるプリント処理の成否を報知する画面である。ステップＳ２４において報知画面を表示部１３に表示させる携帯端末１０のＣＰＵ１７は、報知手段の一例である。なお、報知の方法は報知画面を表示部１３に表示させることに限定されず、例えば、スピーカから音声を出力させてもよいし、ＬＥＤを明滅させてもよい。
【００５５】
［実施形態１の作用効果］
実施形態１によれば、表示部１３に表示された実行パラメータ選択画面に従って筐体１１の姿勢を変化させることにより、直感的な操作で所望の実行パラメータをユーザに選択させることができる。これにより、実行パラメータ選択処理の操作性が向上する。特に、実施形態１における携帯端末１０によれば、ステップＳ１７〜Ｓ２０において、順番に表示される複数の実行パラメータ選択画面それぞれに従って筐体１１の姿勢を変化させるだけで、複数の実行パラメータを選択することができるので、多数の実行パラメータを選択するような場合に特に有利な効果を奏する。
【００５６】
また、実施形態１によれば、複合機５０から取得したパラメータ特定情報に含まれる実行パラメータを実行パラメータ選択画面に含めて表示部１３に表示させるので、複合機５０がサポートしていない実行パラメータが選択されることを防止できる。但し、本発明はこれに限定されず、携帯端末１０のデータ記憶領域１８Ｂに予め記憶されている実行パラメータを実行パラメータ選択画面に含めて表示部１３に表示させてもよい。或いは、ステップＳ１６において複合機５０の型番を取得し、携帯端末１０のデータ記憶領域１８Ｂに記憶されている実行パラメータのうち、取得した型番の複合機５０がサポートしている実行パラメータを実行パラメータ選択画面に含めて表示部１３に表示させてもよい。
【００５７】
また、図５（Ａ）に示される用紙サイズ選択画面では、３つの実行パラメータそれぞれに対応付けられた角度範囲を同一としたが、本発明はこれに限定されない。例えば、各実行パラメータが過去に選択された回数をカウントしておき、選択回数が多い実行パラメータほど割り当てられる角度範囲を大きくしてもよい。これにより、頻繁に選択される実行パラメータの選択が容易なインタフェースを提供することができる。
【００５８】
なお、図２のステップＳ１７〜Ｓ２０の処理は、複合機５０から送信されているポーリング信号を通信部１５が受信し続けている状態、すなわち、携帯端末１０を複合機５０の近傍に位置させた状態で実行されるのが望ましい。これにより、パラメータ特定情報の送信元である複合機５０と異なる複合機に、パラメータ指示情報が送信されてしまうような事態を防止することができる。但し、本発明はこれに限定されない。例えば、携帯端末１０は、ステップＳ１４〜Ｓ１６、Ｓ２１、Ｓ２３の処理中にのみポーリング信号を受信可能であればよく、ステップＳ１７〜Ｓ２０はポーリング信号を受信できない位置で実行されてもよい。これにより、ユーザは、無理のない態勢で携帯端末１０を所望の姿勢に変化させることができるので、携帯端末１０の操作性がさらに向上する。
【００５９】
［変形例］
次に、図６を参照して、実施形態１における画像形成システム１００の変形例を説明する。変形例における画像形成システム１００は、実行パラメータが選択される度に当該実行パラメータを含むパラメータ指示情報が送信される点において、実行パラメータ選択画面の表示（Ｓ１７）と実行パラメータの選択（Ｓ１８、Ｓ１９）とがパラメータ指示情報の送信（Ｓ２１）に先立って交互に複数回実行される実施形態１と相違する。なお、実施形態１と共通する処理には同一の参照番号を付して詳しい説明を省略し、相違点を中心に説明する。
【００６０】
携帯端末１０の画像形成指示プログラム２１は、筐体１１の姿勢変化が検知部１６によって検知されたことを条件として（Ｓ１８：Ｙｅｓ）、筐体１１の姿勢に対応づけられた実行パラメータを選択し、選択した実行パラメータを含むパラメータ指示情報を複合機５０に対して通信部１５に送信させる（Ｓ３１）。そして、画像形成指示プログラム２１は、パラメータ特定情報に含まれる全ての実行パラメータの選択が行われるまで（Ｓ２０：Ｙｅｓ）、ステップＳ１７、Ｓ１８、Ｓ３１の処理を繰り返し実行する。
【００６１】
さらに、画像形成指示プログラム２１は、パラメータ特定情報に含まれる全ての実行パラメータの選択が行われたことを条件として（Ｓ２０：Ｙｅｓ）、画像形成指示を複合機５０に対して通信部１５に送信させる（Ｓ３２）。変形例における画像形成指示は、既に送信したパラメータ指示情報に含まれる実行パラメータに従って、複合機５０にプリント処理を実行させるための指示である。
【００６２】
すなわち、図４及び図５の例を変形例に適用すると、携帯端末１０は、「片面」パラメータを含むパラメータ指示情報と、「Ｂ５」パラメータを含むパラメータ指示情報と、画像形成指示とを、複合機５０に送信する。なお、変形例では画像形成指示をパラメータ指示情報と独立して送信する例を説明したが、本発明はこれに限定されず、最後のパラメータ指示情報に画像形成指示を含めて複合機５０に送信してもよい。
【００６３】
［実施形態２］
次に、図７〜図１０を参照して、実施形態２における画像形成システム１００の動作を説明する。実施形態２における画像形成システム１００は、各々が同時に実行可能な複数の実行パラメータを含む複数の実行パラメータセットを予め登録しておき、画像形成処理において複数の実行パラメータセットのうちから所望の実行パラメータセットを選択する点において、画像形成処理において実行パラメータを１つずつ選択する実施形態１と相違する。なお、実施形態１との共通点の詳しい説明は省略し、相違点を中心に説明する。
【００６４】
まず、図７及び図９（Ａ）を参照して、実施形態２におけるお気に入り登録処理を説明する。お気に入り登録処理は、実行パラメータセットに含める複数の実行パラメータを選択する処理であって、図８に示される画像形成処理の実行に先立って実行される。お気に入り登録処理を実行する携帯端末１０のＣＰＵ１７は、登録手段の一例である。
【００６５】
まず、複合機５０の通信部５５は、所定の時間間隔毎にポーリング信号を繰り返し送信する（Ｓ４０）。また、携帯端末１０の画像形成指示プログラム２１は、図３（Ａ）に示されるメニュー画面を表示部１３に表示させる（Ｓ４１）。次に、画像形成指示プログラム２１は、「お気に入り設定」ボタンを押下する操作が操作部１４によって検知されたことを条件として（Ｓ４２）、図３（Ｂ）に示される近接指示画面を表示部１３に表示させる（Ｓ４３）。次に、画像形成指示プログラム２１は、複合機５０との間に通信リンクが確立されたことを条件として（Ｓ４４：Ｙｅｓ）、パラメータ特定情報送信指示を複合機５０に対して通信部１５に送信させ（Ｓ４５）、複合機５０から送信されたパラメータ特定情報を通信部１５に受信させる（Ｓ４６）。なお、ステップＳ４１、Ｓ４３〜Ｓ４６の処理は、図２のステップＳ１１、Ｓ１３〜Ｓ４６の処理と共通する。
【００６６】
次に、画像形成指示プログラム２１は、お気に入り登録画面を表示部１３に表示させる（Ｓ４７）。お気に入り登録画面は、パラメータ特定情報に含まれる複数の実行パラメータのうちから実行パラメータセットに含める実行パラメータをユーザに選択させるための画面である。図９（Ａ）は、お気に入り登録画面の一例を示す図である。図９（Ａ）に示されるお気に入り登録画面には、画像形成処理に用いられる記録媒体のサイズを選択させるためのプルダウンメニューと、画像形成処理を行う記録媒体の面を選択させるためのラジオボタンと、画像形成処理に用いられる色を選択させるためのラジオボタンと、実行パラメータセットを特定するための登録名を入力させるテキストボックスと、「登録」ボタンとが含まれている。
【００６７】
そして、画像形成指示プログラム２１は、「登録」ボタンが押下されたことを条件として（Ｓ４８）、お気に入り登録画面において選択されている複数の実行パラメータを纏めて実行パラメータセットとしてデータ記憶領域１８Ｂに記憶させる（Ｓ４９）。図９（Ａ）に示される状態のお気に入り登録画面で「登録」ボタンが押下されたとすると、画像形成指示プログラム２１は、図１０に示されるように、用紙サイズ＝「Ａ４」、記録面＝「片面」、インク色＝「モノクロ」の３つの実行パラメータが登録名である「お気に入り１」に関連づけられて、データ記憶領域１８Ｂに記憶させることになる。
【００６８】
なお、実行パラメータセットに含められる複数の実行パラメータは、図１０に示されるように、１回プリント処理において同時に実行可能なものに限られる。一方、例えば、「Ａ４」パラメータと「Ｐｈｏｔｏ＿Ｌ」パラメータとは、１回のプリント処理において同時に実行できないので、１つの実行パラメータセットに含めることができない。
【００６９】
次に、図８、図９（Ｂ）、及び図１０を参照して、実施形態２における画像記録処理を説明する。実施形態２における画像記録処理は、図９（Ｂ）に示されるお気に入り選択画面を実行パラメータ選択画面に代えて表示部１３に表示させる点で、実施形態１と相違する。なお、実施形態１と共通する処理には同一の参照番号を付して詳しい説明を省略し、相違点を中心に説明する。
【００７０】
まず、実施形態２における画像記録処理が実行される時点において、携帯端末１０のデータ記憶領域１８Ｂには、図１０に示されるように、複数の実行パラメータセットが記憶されているものとする。そして、画像形成指示プログラム２１は、複合機５０との間に通信リンクが確立されたことを条件として（Ｓ１４：Ｙｅｓ）、データ記憶領域１８Ｂから実行パラメータセットを取得する（Ｓ６１）。図１０の例では、登録名が「お気に入り１」及び「お気に入り２」である２つの実行パラメータセットがデータ記憶領域１８Ｂから取得される。
【００７１】
次に、画像形成指示プログラム２１は、お気に入り選択画面を表示部１３に表示させる（Ｓ６２）。お気に入り選択画面は、ステップＳ６１で取得した複数の実行パラメータセットと、筐体１１の複数の姿勢との対応関係を示すガイド画像の他の例である。図９（Ｂ）に示されるお気に入り選択画面において、登録名が「お気に入り１」である実行パラメータセットに反時計回りに傾けられた筐体１１の姿勢が対応づけられており、登録名が「お気に入り２」である実行パラメータセットに時計回りに傾けられた筐体１１の姿勢が対応づけられている。図９（Ｂ）に示されるお気に入り選択画面には、各実行パラメータセットに含まれる実行パラメータが一覧表示されている。
【００７２】
次に、画像形成指示プログラム２１は、筐体１１の姿勢変化が検知部１６によって検知されたことを条件として（Ｓ１８：Ｙｅｓ）、筐体１１の姿勢に対応づけられた実行パラメータセットに含まれる複数の実行パラメータと、当該実行パラメータに従って複合機５０にプリント処理を実行させる画像形成指示とを含むパラメータ指示情報を、複合機５０に対して通信部１５に送信させる（Ｓ２１）。
【００７３】
［実施形態２の作用効果］
実施形態２によれば、複数の実行パラメータを含む実行パラメータセットを予め登録しておくことにより、実行パラメータセットを選択する１回の操作によって、当該実行パラメータセットに含まれる複数の実行パラメータを複合機５０に送信することができる。例えば、実施形態２において、図９（Ｂ）に示される携帯端末１０が反時計回りに傾けられた場合、「Ａ４」パラメータ、「片面」パラメータ、及び「モノクロ」パラメータを実行パラメータとして含むパラメータ指示情報が複合機５０に送信される。これに対して、実施形態１において、３つの実行パラメータを選択する場合、携帯端末１０を傾ける操作を３回行う必要がある。すなわち、実施形態２によれば、実施形態１と比較して、携帯端末１０を姿勢変化させる回数を削減することができる。すなわち、実施形態２における携帯端末１０によれば、選択する実行パラメータの組み合わせが決まっている場合、或いは多数の実行パラメータを選択するような場合に特に有利な効果を奏する。
【００７４】
なお、実施形態２におけるお気に入り登録処理では、図９（Ａ）に示されるお気に入り登録画面に表示されたプルダウンメニューやラジオボタン等をユーザに操作させることによって、実行パラメータセットに含める実行パラメータを選択させる例を説明したが、本発明はこれに限定されない。例えば、図２のステップＳ１７〜Ｓ２０の処理によって、実行パラメータセットに含める実行パラメータを選択させてもよい。
【００７５】
また、図１０には各々に３つの実行パラメータが含まれる２つの実行パラメータセットの例が示されているが、各実行パラメータセットに含まれる実行パラメータの数は同一いであってもよいし、異なっていてもよい。さらに、実施形態２において実行パラメータセットに含まれる実行パラメータは複数であったが、実行パラメータが１つだけ含まれる実行パラメータセットがあってもよい。すなわち、実行パラメータセットは、少なくとも１つの実行パラメータを含んでいればよい。
【００７６】
［その他の変形例］
また、各実施形態の携帯端末１０において、記憶部１８のプログラム記憶領域１８Ａに記憶された各種プログラムがＣＰＵ１７によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【００７７】
また、本発明は、携帯端末として実現できるだけでなく、携帯端末に処理を実行させるプログラムとして実現してもよい。また、当該プログラムは、ｎｏｎ−ｔｒａｎｓｉｔｏｒｙな記録媒体に記録されて提供されてもよいし、当該プログラムを示す情報或いは信号が、インターネット等の通信ネットワークを介して配信されてもよい。
【符号の説明】
【００７８】
１０・・・携帯端末
１１・・・筐体
１３・・・表示部
１５・・・通信部
１６・・・検知部
１７・・・ＣＰＵ
１８・・・記憶部
２１・・・画像形成指示プログラム
５０・・・複合機
【図１】
2015049767.tif 000003
【図２】
2015049767.tif 000004
【図３】
2015049767.tif 000005
【図４】
2015049767.tif 000006
【図５】
2015049767.tif 000007
【図６】
2015049767.tif 000008
【図７】
2015049767.tif 000009
【図８】
2015049767.tif 000010
【図９】
2015049767.tif 000011
【図１０】
2015049767.tif 000012